(57)【要約】      （修正有）【課題】収納されたプリザーブドフラワー等の花冠及びプリザーブドフラワーがアレンジされた鉢を配送、保存する包装箱を提供する。【解決手段】長辺中央部に溝状切欠を有する平面横長矩形状の２枚の仕切り板を溝状切欠により、嵌合させた、少なくとも１つ以上の仕切り部材と、上面中央部に円形状の嵌合孔と複数の放射状切込みを有する箱形状の台座と、を収納し、矩形状前面板と、背面板と、前面フラップと差し込み片を有する天面板と、４枚の底フラップを有する底面板と、上端辺に内フラップを有する左右側面板と、を備え、それぞれの板が連設する包装箱本体であって、包装箱本体は、前面板の高さを左右側面板及び背面板の高さより低く形成し、背面板の上端辺に包装箱本体の天面及び前面の開口を閉塞する前面フラップと差し込み片を有する天面板を連設する。【選択図】図１
0003136536.tif 000002
【実用新案登録請求の範囲】
【請求項１】
長辺中央部に溝状切欠を有する平面横長矩形状の２枚の仕切り板を前記溝状切欠により、嵌合させた、少なくとも１つ以上の仕切り部材と、上面中央部に円形状の嵌合孔と複数の放射状切込みを有する箱形状の台座と、を収納し、
矩形状前面板と、背面板と、前面フラップと差し込み片を有する天面板と、４枚の底フラップを有する底面板と、上端辺に内フラップを有する左右側面板と、を備え、それぞれの板が連設する包装箱本体であって、
前記包装箱本体は、前記前面板の高さを前記左右側面板及び前記背面板の高さより低く形成し、前記背面板の上端辺に前記包装箱本体の天面及び前面の開口を閉塞する前面フラップと差し込み片を有する天面板を連設することを特徴とする花用包装箱。
【請求項２】
前記前面板の高さが仕切り部材の高さと同一の高さであることを特徴とする請求項１に記載の花用包装箱。
【請求項３】
前記天面板は、矩形状の窓孔を有することを特徴とする請求項１または請求項２に記載の花用包装箱。
【請求項４】
前記台座は、１つの仕切り部材の上に載置されることを特徴とする請求項１ないし３のいずれか１項に記載の花用包装箱。
【請求項５】
前記包装箱本体は、１枚の厚紙からなることを特徴とする請求項１ないし４のいずれか１項に記載の花用包装箱。
【考案の詳細な説明】
【技術分野】
【０００１】
本考案は、収納されたプリザーブドフラワー等の花冠及びプリザーブドフラワーがアレンジされた鉢を配送、保存する包装箱に関する。
【背景技術】
【０００２】
近年、プリザーブドフラワーは、花冠のみならず、鉢に飾り付けられ、記念品や贈答品またはウェディングブーケとして用いることが盛んになり、近距離のみならず遠距離にまで配送されるようになってきている。
【０００３】
ところで、従来の包装箱において、鉢に収納されたプリザーブドフラワーの動揺を抑えて破損を防止するために、包装箱本体と鉢の間隙に発泡スチロール等の緩衝用クッション材を適当に詰めることにより行われていた。
【０００４】
しかしながら、このようなクッション材は、環境上問題であるばかりか、再利用しにくいので、コスト高になるという課題があった。
【０００５】
また、アレンジ済みのドライフラワーなどを収容するクリアケースとして、被収容物を収容する外箱と、被収容物を固定し外箱の内側に装着する内板とを備え、内板は中央部分に被収容物を取り付ける取付孔を穿孔する収容物取り付け部と、取り付け部の両側に連設する側板重ね部とを有し、内板の側板重ね部を外箱の内面に嵌合させて内板を外箱に装着することが開示されている。（特許文献１参照）
【０００６】
さらに、プリザーブドフラワーの化粧箱として、内部にフィットするのに充分な高さの布張りの穴開き底敷きを設けることが開示されている。（特許文献２参照）
【０００７】
【特許文献１】特開２００２−３３２０３１号公報
【特許文献２】実用新案登録第３１３１５２２号公報
【考案の開示】
【考案が解決しようとする課題】
【０００８】
しかしながら、特許文献１のクリアケースは、アレンジしたドライフラワー等の被収容物を取付孔で固定し外箱の内側に装着する内板と、被収容物を収容する外箱からなるクリアケースで、内板に花器を収めるために内板の案内切断部を開き、花器を拡開部分に挿入し、案内切断部に案内されて取付孔に花器の取付部を嵌合させる必要があった。そして、案内切断部を接着テープなどで閉塞する必要があった。そのため、花器を固定させるのに非常に手間がかかる課題があった。
【０００９】
また、特許文献２の化粧箱は、花が箱の内部にフィットさせるために布張りの穴開き底敷きを設け、蓋部分にアクリル板を貼り付けた化粧箱で、布張りの底敷きと蓋部分にアクリル板を用いるので、高価な化粧箱になり、製造コスト高を招く課題があった。
【００１０】
本考案は、従来のこのような課題に着目してなされたものであって、少なくとも１つ以上の仕切り部材と台座を収納した包装箱を形成することにより、プリザーブドフラワー等の花冠及びプリザーブドフラワーがアレンジされた鉢や花束を確実に収容し、配送可能な花用包装箱を提供することを課題とする。
【課題を解決するための手段】
【００１１】
本考案は、長辺中央部に溝状切欠を有する平面横長矩形状の２枚の仕切り板を前記溝状切欠により、嵌合させた、少なくとも１つ以上の仕切り部材と、上面中央部に円形状の嵌合孔と複数の放射状切込みを有する箱形状の台座と、を収納し、矩形状前面板と、背面板と、前面フラップと差し込み片を有する天面板と、４枚の底フラップを有する底面板と、上端辺に内フラップを有する左右側面板と、を備え、それぞれの板が連設する包装箱本体であって、前記包装箱本体は、前記前面板の高さを前記左右側面板及び前記背面板の高さより低く形成し、前記背面板の上端辺に前記包装箱本体の天面及び前面の開口を閉塞する前面フラップと差し込み片を有する天面板を連設することを特徴とする花用包装箱である。
【００１２】
したがって、本考案に係る花用包装箱は、少なくとも１つ以上の仕切り部材と、箱形状の台座と、を収納しているので、多数のプリザーブドフラワー等の花冠及びプリザーブドフラワーがアレンジされた鉢を収納して配送、保存することが可能となる。
【００１３】
また、前面板の高さを左右側面板及び背面板の高さより低く形成することにより、包装箱の前方から仕切り部材または箱形状の台座を水平に出し入れすることが容易となる。
【００１４】
次に、請求項２に記載の考案は、前面板の高さが仕切り部材の高さと同一の高さであることを特徴とする。
【００１５】
これにより、包装箱の前方から仕切り部材または箱形状の台座を水平に出し入れすることが容易となる。
【００１６】
さらに、請求項３に記載の考案は、天面板は、矩形状の透視窓を有することを特徴とする。
【００１７】
これにより、包装箱の外から透視することができるので、梱包されたプリザーブドフラワー等の花冠またはプリザーブドフラワーがアレンジされた鉢を確認することが可能となる。
【００１８】
また、請求項４に記載の考案は、台座は、１つの仕切り部材の上に載置されることを特徴とする。
【００１９】
これにより、２つの仕切り部材を収納する場合、２つの仕切り部材の間に台座が配置されることにより、台座が上に配置された仕切り部材の支持材としての役目と、上下に配置された仕切り部材のクッション材としての役目をする。
【００２０】
さらに、請求項５に記載の考案は、包装箱本体は、１枚の厚紙からなることを特徴とする。
【００２１】
これにより、包装箱を安価に製造することが可能となる。
【考案の効果】
【００２２】
予め１つ以上の仕切り部材と台座が包装箱に収納されているので、箱詰めの際、花冠等の花を仕切り部材の間隙に入れ、プリザーブドフラワーがアレンジされた鉢を台座の嵌合孔に嵌合させることにより、クッション材を詰める必要がなくなり、箱詰め作業効率化により作業経費の節減を図ることができる。
【００２３】
また、外部からの衝撃などで収容されたプリザーブドフラワーの鉢が揺動しても、仕切り部材の上に台座を載置しているため、台座が重りの役目をして、さらに、仕切り部材の間に入った花冠等の花のクッション材の役目をして、花冠等の花の破損を防止することができる。
【００２４】
そして、仕切り部材の上に台座を載置しているため、鉢を安定良く支持する共に、包装箱の底部に加えられた外部衝撃は、仕切り部材がクッションの役目をして、鉢底部の破損を確実に防止することができる。
【００２５】
以上に加えて、包装箱の組み立てに際しては、各折線に沿って折り込んでいくだけで、ステープラー等の器具・工具を用いることなく簡単に組み立てることができる。
【００２６】
さらに、包装箱の再利用としては、ユーザーがアレンジしたプリザーブドフラワーの鉢を箱形状の台座に収納、固定して配送・保存することで再利用ができて経済的である。その際には、仕切り部材は取り外して箱形状の台座を包装箱の底部に載置させる。
【考案を実施するための最良の形態】
【００２７】
（実施例１）
以下、本考案の実施の形態につき、図面に示す実施例１について説明する。図１は、本考案の実施例１における２つの仕切り部材と台座を用いた花用包装箱の天面板を開いた状態の全体構成を示す斜視図、図２は、本考案の実施例１における台座の上に仕切り部材を重ねた状態を示す斜視図、図３は、台座の展開図、図４（Ａ）は、仕切り板の展開図、図４（Ｂ）は、仕切り部材を組み立てた状態を示す斜視図、図５は、包装箱本体の展開図である。
【００２８】
図１に示すように台座１は、２つの仕切り部材２の間に挟まれ、２つの仕切り部材２とともに、天面板が開閉自在な立方体状の包装箱本体３に収納されている。台座１と包装箱本体３は、図３及び図５に示すようにそれぞれ１枚の厚紙から形成されている。
【００２９】
包装箱本体３の天面板には、透視可能な矩形状の窓孔４が設けられ、天面板の裏面には、透明なフィルム５が接着剤等で貼着されている。
【００３０】
また、窓孔４の形状または大きさは、包装箱の中を透視可能である形状または大きさであれば、特に限定されない。さらに、フィルム５の材質としては、セロファン、ビニール等の透明な合成樹脂フィルムが好ましい。
【００３１】
図２は、包装箱本体３に、仕切り部材２と台座１と仕切り部材２を３段重ねた状態を示す図である。
【００３２】
包装箱本体３の内部には、最初の１段目に包装箱本体３の内側面に当接するように十字形状の仕切り部材２が設けられ、４つのプリザーブドフラワーＦの花冠が収納されている。次に、後述の図８に示すように仕切り部材２の上の２段目に台座１を包装箱本体３の前方から水平に入れて載置させ、さらに、図２に示すように台座１の上の３段目に包装箱本体３の内側面に当接するように十字形状の仕切り部材２を設けられる。そして、４つのプリザーブドフラワーＦの花冠が収納されている。
【００３３】
配送または保存する際は、包装箱本体の天面板に連設した差し込み片６１を、図３に示す台座１の外フラップ３１，３２のいずれか１つと重合させて内方に折り曲げて、台座１の底面板２５と外フラップ３１，３２との隙間３７に差し込んで固定させる。
【００３４】
図３に示すように台座１は、１枚の厚紙で形成され、上面板２３、側壁を構成する側面板２４，２６，２７，２８、底面板２５で構成された両サイド差し込みタイプの箱である。
【００３５】
次に、台座１の組立てについて説明する。折線２３ａ，２３ｂ，２３ｃ，２４ａ，２４ｂ，２５ａ，２５ｂ，２６ａ，２６ｂを介して折り曲げ、一方の内フラップ３３，３５を内方に折り曲げ、その上に側面板２７を被せて外フラップ３１を内方に折り曲げる。
【００３６】
また、他方の内フラップ３４，３６を内方に折り曲げ、その上に側面板２８を被せて外フラップ３２を内方に折り曲げて箱体形状に完成させる。
【００３７】
上面板２３には、中央部に円形状の嵌合孔２１とその周縁部に複数の放射状切込み２２が形成され、鉢や花束を保持する。また、嵌合孔２１は、図３のような円形穴の他、楕円穴、角穴とすることで種々の形状の鉢（例えば、四角の鉢）に対応して収納することができる。
【００３８】
また、嵌合孔２１の周縁部には、複数の放射状切込み２２を設けることにより、嵌合孔２１の拡径を可能な構造にし、鉢や花束を嵌合孔２１の周縁部を放射状切込み２２の幅に応じ、内方へ折り曲げながら挿入できるようにする。よって、鉢や花束の大きさに対応できるようにすると共に、鉢や花束を折り曲げた周縁部にて弾力的に捕捉することができる。
【００３９】
さらに、鉢や花束を台座に確実に固定させるために台座の内部に適当な大きさのボール状のコットンを詰めることが好ましい。
【００４０】
図４（Ａ）に示すように仕切り板４１は、平面横長矩形状で、２辺の長辺中央部に溝状切欠４２ａ，４２ｂがそれぞれ形成されている。
【００４１】
次に、仕切り部材２の組立てについて説明する。仕切り部材２は、２つの仕切り板４１を折線４１ａを介してそれぞれ２つに折り曲げ、図４（Ｂ）が示すように、それぞれの溝状切欠４２ａ，４２ｂを嵌合させて平面形状が十字形状の格子またはＸ字形状になるように組み立てる。仕切り部材２の高さｈは、図１に示す包装箱の前面板の高さＨと同一の高さにすることが好ましい。
【００４２】
図５に示すように包装箱本体３は、１枚の厚紙で形成され、前面板５３、背面板５１、天面板５６、底面板５７、左右側面板５４，５２を備え、矩形状前面板５３と背面板５１と、天面板の下垂部（前面フラップ）５５と差し込み片６１を有する天面板５６と、４枚の底フラップ５７ａ，５７ｂ，５７ｃ，５７ｄを有する底面板５７と、上端辺５４ａ，５２ａに内フラップ６３，６２を有する左右側面板５４，５２と、を連設する。
【００４３】
下端辺５１ａ，５２ｃ，５３ｂ，５４ｃに沿って底フラップ５７ａ，５７ｂ，５７ｃ，５７ｄが、上端辺５５ａ，５６ａ，５６ｂ，５２ａ，５４ａに沿って差し込み片６１、前面フラップ５５、天面板５６、内フラップ６２，６３がそれぞれ折り曲げ可能に連設された背面板５１、右側面板５２，前面板５３、左側面板５４が折線５２ｂ，５２ｄ，５４ｂ，５４ｄを介して互いに横方向に連設され、横方向の一方端縁５４ｄに沿って折り曲げ可能に突設した貼着片６４が形成されている。
【００４４】
５７ａ，５７ｂ，５７ｃ，５７ｄは、底面板５７を構成するハンドロックボトムの底フラップで、背面板５１、右側面板５２、前面板５３及び左側面板５４の下端辺５１ａ，５２ｃ，５３ｂ，５４ｃを介して連設されている。
【００４５】
次に、包装箱本体３の組立てについて説明する。図５に示す展開状態から右側面板５２と左側面板５４にそれぞれ連設する折線５２ｂ，５２ｄ，５４ｂ，５４ｄにて折り曲げ、立方体状に起こして、最初に、凹部の底フラップ５７ｄから折り込む。
【００４６】
そして、左右底フラップ５７ａ，５７ｃを凹部の底フラップ５７ｄの上に重なるように折り込み、ツメを中に差し込む。最後に、左右底フラップ５７ａ，５７ｃの上に重なるように底フラップ５７ｂの凸部を差し込み、底面板５７が出来上がる。
【００４７】
次に、背面板５１の端縁に左側面板５４の貼着片６４を糊等で接着させて包装箱本体３を組み立てる。
【００４８】
そして、配送または保存する際は、前面フラップ５５に連設した差し込み片６１は、内装された台座１の外フラップ３１，３２のいずれか１つと重合させて内方に折り曲げて、台座１の底面板２５と外フラップ３１，３２との隙間３７に差し込んで固定させる。
【００４９】
（実施例２）
次に、本考案の花用包装箱の実施例２について説明するが、本考案がこれらの実施例のみに限定されないことはいうまでもない。図６は、本考案の実施例２における１つの仕切り部材と台座を用いた花用包装箱の天面板を開いた状態の全体構成を示す斜視図、図７は、本考案の実施例２における１つの仕切り部材に花冠を収納した状態を示す斜視図、図８は、仕切り部材の上に台座を重ねた状態を示す斜視図である。
【００５０】
図６に示すように台座１と１つのＸ字形状の仕切り部材２は、天面板が開閉自在な立方体状の包装箱本体３に収納されている。
【００５１】
台座１と包装箱本体３は、実施例１と同様にそれぞれ１枚の厚紙から形成されている。
【００５２】
図７に示すように最初の１段目に包装箱本体３の内側隅角部に当接するようにＸ字形状の仕切り部材２が設けられ、４つのプリザーブドフラワーＦの花冠が収納されている。
【００５３】
次に、図８は、仕切り部材２と台座１を２段重ねた状態を示すもので、図７に示す状態から、仕切り部材２の上の２段目に台座１を包装箱本体３の前方から水平に入れ、載置させて重ねる。
【００５４】
仕切り部材２の上に台座１を載置させることにより、台座１が重りの役目をして、さらに、仕切り部材２の間に入った花冠等の花のクッション材の役目をする。
【００５５】
そして、載置させた台座１の嵌合孔にプリザーブドフラワーＦがアレンジされた鉢又は花束を嵌合挿入させること（図示せず）で、プリザーブドフラワーＦの花冠及びプリザーブドフラワーがアレンジされた鉢又は花束を収納することができる。
【００５６】
プリザーブドフラワーの花冠のみを収納して配送、保存する場合には、仕切り部材２の間隙にプリザーブドフラワーの花冠を収納し、その上に鉢又は花束の入っていない台座１を載置して配送、保管すればよい。
【図面の簡単な説明】
【００５７】
【図１】本考案の実施例１における花用包装箱の天面板を開いた状態の全体構成を示す斜視図
【図２】本考案の実施例１における台座の上に仕切り部材を重ねた状態を示す斜視図
【図３】台座の展開図
【図４】（Ａ）仕切り板の展開図、（Ｂ）仕切り部材を組み立てた状態を示す斜視図
【図５】包装箱本体の展開図
【図６】本考案の実施例２における花用包装箱の天面板を開いた状態の全体構成を示す斜視図
【図７】本考案の実施例２における花冠を収納した状態を示す斜視図
【図８】本考案の実施例２における仕切り部材の上に台座を重ねた状態を示す斜視図
【符号の説明】
【００５８】
１  台座
２  仕切り部材
３  包装用箱本体
４  窓孔
５  フィルム
２１  嵌合孔
２２  切込み
２３  平面板
２３ａ，２３ｂ，２３ｃ，２４ａ，２４ｂ，２５ａ，２５ｂ，２６ａ，２６ｂ  折線
２４，２６，２７，２８  側面板
２５  底面板
３１，３２  外フラップ
３３，３４，３５，３６  内フラップ
３７  隙間
４１  仕切り板
４１ａ  折線
４２ａ，４２ｂ  切欠
５２ａ，５３ａ，５４ａ，５５ａ，５６ａ，５６ｂ  上端辺
５１ａ，５２ｃ，５３ｂ，５４ｃ  下端辺
５２ｂ，５２ｄ，５４ｂ，５４ｄ  折線
５１  背面板
５２  右側面板
５３  前面板
５４  左側面板
５５  天面板の下垂部（前面フラップ）
５６  天面板
５７  底面板
５７ａ，５７ｂ，５７ｃ，５７ｄ  底フラップ
６１  差し込み片
６２，６３  内フラップ
６４  貼着片
Ｆ  プリザーブドフラワー
【図１】
0003136536.tif 000003
【図２】
0003136536.tif 000004
【図３】
0003136536.tif 000005
【図４】
0003136536.tif 000006
【図５】
0003136536.tif 000007
【図６】
0003136536.tif 000008
【図７】
0003136536.tif 000009
【図８】
0003136536.tif 000010